(57)【要約】  液晶表示装置は、表示面側に配置される透明の第１基板と、第１基板に対向するように設けられた透明の第２基板と、第１及び第２基板間に設けられた選択反射が黄色であるコレステリック液晶と、第２基板に対向するように設けられた白青表示用反射板と、を備える。白青表示用反射板の散乱光強度の角度依存性は、コレステリック液晶の散乱光強度の角度依存性と同等である。
2009004746.tif 000002
【特許請求の範囲】
【請求項１】
表示面側に配置される透明の第１基板と、
上記第１基板に対向するように設けられた透明の第２基板と、
上記第１及び第２基板間に設けられた選択反射が黄色であるコレステリック液晶と、
上記第２基板に対向するように設けられた白青表示用反射板と、
を備え、
上記白青表示用反射板の散乱光強度の角度依存性が上記コレステリック液晶の散乱光強度の角度依存性と同等である液晶表示装置。
【請求項２】
請求項１に記載された液晶表示装置において、
上記白青表示用反射板は、反射層、散乱層、及び、青色透過層がこの順で積層されて構成されるとともに、該青色透過層が上記第２基板に対向するように設けられた液晶表示装置。
【請求項３】
請求項１に記載された液晶表示装置において、
上記白青表示用反射板は、所定の散乱角を有する反射層、及び、青色透過層が積層されて構成されるとともに、該青色透過層が上記第２基板に対向するように設けられた液晶表示装置。
【請求項４】
請求項１に記載された液晶表示装置において、
上記コレステリック液晶がラビングレスで配向されており、
上記白青表示用反射板は、反射層、及び、青色透過層が積層されて構成されるとともに、該青色透過層が上記第２基板に対向するように設けられた液晶表示装置。
【請求項５】
請求項１に記載された液晶表示装置において、
上記コレステリック液晶がラビングレスで配向されており、
上記白青表示用反射板が青色ホログラムで構成されている液晶表示装置。
【発明の詳細な説明】
【技術分野】
【０００１】
本発明は、液晶表示装置に関する。
【背景技術】
【０００２】
近年、バックライトや偏光板の不要なコレステリック液晶層を有するコレステリック液晶表示装置が種々研究されている。コレステリック液晶層は、多層構造をなすように配列された棒状の液晶分子を複数含んでいる。この液晶分子は、層が広がる平面方向には配向が略同一の方向となるように配列されており、積層方向には配向が螺旋状となるように配列されている。【０００３】
電圧を印加しない状態（プレーナ状態）のコレステリック液晶は、カイラルピッチ（螺旋ピッチ）に応じた特定波長（選択反射波長）の光を選択的に反射する。一方、弱い電圧を印加した状態（フォーカルコニック状態）のコレステリック液晶は、光を透過する。コレステリック液晶表示装置では、このプレーナ状態とフォーカルコニック状態とを適宜選択することによって画像を表示させている。【０００４】
このような液晶表示装置として、例えば、特許文献１には、少なくとも一方が透明な一対の基板間に、室温で可視光中の特定の波長を選択反射するカイラルネマチック液晶組成物を挟持した液晶表示素子において、一対の基板に配向安定化膜が形成されており、表示面に対向する基板に青色の光吸収層が設けられており、前記カイラルネマチック液晶組成物の選択反射のピーク反射波長が５７０〜６００ｎｍの範囲内にあり、前記青色の光吸収層のピーク反射波長が４５０〜４８０ｎｍの範囲内であり、前記液晶組成物からなる液晶層を選択反射状態にしたときの分光反射波形の半値幅が９５〜１１５ｎｍであること、を特徴とする液晶表示素子が開示されている。そして、これによれば、白色と他色とのモノカラー表示の際に良好な白色度を得、コントラストの大きな液晶表示素子、特に、良好な青／白表示を行うことができ、かつ、視野角依存性の小さな液晶表示素子を得ることができると記載されている。
【特許文献１】特開平２００３−５２２２号公報
【発明の開示】
【発明が解決しようとする課題】
【０００５】
しかしながら、コレステリック液晶は正反射成分の割合が多く、反射光強度に角度依存性がある。また、コレステリック液晶の選択反射光は、層間のブラッグ反射に基づくため、斜めからの光で青色シフトするという性質を有している。一方、青色塗料は、反射光強度の角度依存性が小さい。【０００６】
したがって、黄色のコレステリック液晶の裏面に青色塗料を塗ったり、青色塗料テープを貼ったりして、装置の表示部を白青に表示させる際に、斜めから見ると青色が強くなりコントラスト比が低下するという問題が生じる。
【課題を解決するための手段】
【０００７】
本発明の目的とするところは、斜めから見ても良好に表示画面を視認することができる液晶表示装置を提供することである。【０００８】
本発明に係る液晶表示装置は、表示面側に配置される透明の第１基板と、第１基板に対向するように設けられた透明の第２基板と、第１及び第２基板間に設けられた選択反射が黄色であるコレステリック液晶と、第２基板に対向するように設けられた白青表示用反射板と、を備え、白青表示用反射板の散乱光強度の角度依存性がコレステリック液晶の散乱光強度の角度依存性と同等であることを特徴とする。【０００９】
ここで、上記「散乱光強度の角度依存性」とは、特に正反射光に対する散乱光強度の比をいう。完全鏡面体であれば、散乱光は発生しないが、所定の散乱層を設けると、正反射光以外の光が散乱光として観測される。【００１０】
また、上記「角度依存性が同等である」とは、正反射光に対する散乱光強度の比がほぼ同じであることをいう。【００１１】
このような構成によれば、白青表示用反射板の散乱光強度の角度依存性がコレステリック液晶の散乱光強度の角度依存性と同等であるため、表示画面を斜めから見ると、コレステリック液晶のブルーシフトに伴い青色の反射光強度が低下する。したがって、表示画面を斜めから見たときフォーカルコニック状態のコレステリック液晶はほとんど光を反射せず、プレーナ状態のコレステリック液晶のブルーシフトによる青色領域との反射率比（コントラスト比）を維持するため、良好な視認性を実現することができる。【００１２】
また、本発明に係る液晶表示装置は、白青表示用反射板が、反射層、散乱層、及び、青色透過層がこの順で積層されて構成されるとともに、青色透過層が第２基板に対向するように設けられていてもよい。【００１３】
さらに、本発明に係る液晶表示装置は、白青表示用反射板が、所定の散乱角を有する反射層、及び、青色透過層が積層されて構成されるとともに、青色透過層が第２基板に対向するように設けられていてもよい。【００１４】
本発明に係る液晶表示装置は、コレステリック液晶がラビングレスで配向されており、白青表示用反射板が、反射層、及び、青色透過層が積層されて構成されるとともに、青色透過層が第２基板に対向するように設けられていてもよい。【００１５】
ここで、「コレステリック液晶がランビングレスで配向されている」とは、液晶表示装置にラビング処理が施された配向膜が設けられておらず、当該コレステリック液晶がこの配向膜で配向されているものではないことを示す。尚、一般的に、液晶表示装置には、液晶表示パネル内の液晶分子群を一定方向に配列させる膜（配向膜）が必要であるが、その膜に配向性を与えるために、布などで一方向に筋をつけるラビングプロセス処理が施されている。【００１６】
このような構成によれば、コレステリック液晶がラビングレスで配向されているため、プレーナがマルチドメイン構造をとり、液晶内のドメイン境界で光散乱を発生することで、散乱層を設ける必要のない簡単な構造の液晶表示装置を提供することができる。【００１７】
この場合、液晶表示装置内で鏡面反射した青い光はプレーナ状態のコレステリック液晶層内でレイリー散乱する（波長の短い光は散乱しやすい）ため、散乱層を持たなくても反射光の「青色」は、プレーナ状態のコレステリック液晶層の選択反射光の「黄色」と合成されて「白色」となる。正反射光が入射し、フォーカルコニック部を透過するときは、青色反射光が直接観測されるため、強い青色を観測できる。プレーナ部を透過するときは、このようにコレステリック液晶層内で散乱するため、プレーナ部の選択反射光の「黄色」と合成されて白色になる。一方、周囲からの散乱光が入射するとき、フォーカルコニック部は、その下層に設けられる反射層の弱い散乱光が観測される。また、プレーナ部は、プレーナの選択反射光の「黄色」とプレーナ内部で散乱された反射層の光の「青色」が合成されて白色になる。【００１８】
また、本発明に係る液晶表示装置は、コレステリック液晶がラビングレスで配向されており、白青表示用反射板が青色ホログラムで構成されていてもよい。【００１９】
このような構成によれば、白青表示用反射板が青色ホログラムで構成されているため、装置の反射光強度及び反射光波長の選択の自由度が高まる。また、設計者が装置の視覚制限を任意に設計することができる。
【発明の効果】
【００２０】
本発明によれば、斜めから見ても良好に表示画面を視認することができる液晶表示装置を提供することができる。
【図面の簡単な説明】
【００２１】
【図１】図１は、本発明の実施形態１に係る液晶表示装置の断面図を示す。
【図２】図２は、本発明の実施形態２に係る液晶表示装置の断面図を示す。
【図３】図３は、本発明の実施形態３に係る液晶表示装置の断面図を示す。
【図４】図４は、本発明の実施形態４に係る液晶表示装置の断面図を示す。
【図５】図５は、本発明の実施形態１〜４に係る白青表示用反射板及びコレステリック液晶層の天頂からの角度と反射率との関係を示すグラフである。
【図６】図６は、図５で示した角度及び反射率の測定光学系の模式図を示す。
【符号の説明】
【００２２】
１０，２０，３０，４０      液晶表示装置
１１，３１，４１      液晶表示パネル
１２，２２，３２，４２      白青表示用反射板
１３，３３，４３      第１基板
１４，３４，４４      第２基板
１５，３５，４５      コレステリック液晶層
１６，２６，３６      反射層
１７      散乱層
１８，２８，３８      青色透過層
２１      拡散鏡面
【発明を実施するための最良の形態】
【００２３】
以下、本発明の実施形態について図面を用いて詳細に説明するが、本発明はこれらに限定されるものではない。【００２４】
（実施形態１）
本発明の実施形態１に係る液晶表示装置１０について、図面を用いて詳細に説明する。【００２５】
（液晶表示装置１０の構成）
図１は、本発明の実施形態１に係る液晶表示装置１０の断面図を示す。【００２６】
液晶表示装置１０は、液晶表示パネル１１及び白青表示用反射板１２で構成されている。【００２７】
液晶表示パネル１１は、表示面側に設けられる第１基板１３と、第１基板１３に対向するように設けられた第２基板１４と、第１及び第２基板１３，１４間に設けられた選択反射が黄色であるコレステリック液晶分子で構成されたコレステリック液晶層１５で形成されている。【００２８】
第１基板１３及び第２基板１４は、それぞれ、ガラスや、ポリカーボネート、ポリエチレンテレフタレート、ポリエーテルスルフォンなどの樹脂などの透明基板と、透明基板上にパターニングされた透明電極と、透明電極上に塗布され且つラビング等により配向処理された配向膜等で構成されている。【００２９】
透明電極としては、酸化スズ膜、酸化亜鉛膜、酸化インジウムと酸化スズとの化合物であるＩＴＯ（Indium Tin Oxide）膜、又は、酸化インジウムと酸化亜鉛との化合物であるＩＺＯ（Indium Zinc Oxide）膜等の透明導電膜を用いることができる。【００３０】
液晶表示パネル１１の配向膜として、ポリイミドなどの樹脂、酸化珪素などの無機蒸着膜、シラン系やアンモニア系などの表面改質剤を設けてもよい。【００３１】
コレステリック液晶層１５は多層構造を構成する棒状のコレステリック液晶分子が複数含まれている。コレステリック液晶層１５に電圧を印加しない状態では、コレステリック液晶分子は層方向において略同一の方向に配列しており、積層方向においては螺旋状に配列している（プレーナ状態）。プレーナ状態におけるコレステリック液晶層１５は、積層方向に螺旋状に配列されたコレステリック液晶分子のカイラルピッチ（らせんピッチ）に応じた選択反射波長付近の光を選択的に反射させる一方、選択反射波長付近以外の光を透過させる。ここで、「選択反射波長」とは、コレステリック液晶分子の平均屈折率とコレステリック液晶分子のカイラルピッチ（らせんピッチ）とを乗じて得られる波長のことをいい、「選択反射のピーク波長」と同義である。【００３２】
一方、コレステリック液晶層１５に弱い電圧を印加した状態（フォーカルコニック状態）におけるコレステリック液晶層１５は、選択反射波長付近の光を選択的に反射させることなく、入射する光を全波長域において透過させる。コレステリック液晶層１５は、弱い電圧が印加され、フォーカルコニック状態となると、その後電圧無印加状態になってもフォーカルコニック状態が維持される。このため、コレステリック液晶層１５を有する液晶表示装置１０は、特に静止画を表示させる場合に、単位時間あたりの消費電力を少なくすることができる。【００３３】
コレステリック液晶分子としては、例えば、シアノビフェニル、フェニルシクロヘキシル、フェニルベンゾエート、シクロヘキシルベンゾエート、アゾメチン、アゾベンゼン、ピリミジン、ジオキサン、シクロヘキシルシクロヘキサン、トラン等のメソゲンを有するネマチック液晶組成物に、コレステロール誘導体や２−メチルブチル基などの光学活性基を有する化合物からなるカイラル剤を添加したもの等を用いることができる。【００３４】
白青表示用反射板１２は、反射層１６、散乱層１７、及び、青色透過層１８がこの順で積層されて構成されるとともに、青色透過層１８が第２基板１４に対向するように設けられている。【００３５】
反射層１６は、例えば、ＰＥＴ（ポリエチレンテレフタレート）フィルム等のプラスチックフィルムに銀やアルミニウム等の金属を蒸着させたものや、アルミニウム箔のように金属を延ばして平滑な薄いフィルム状に加工したもの等が用いられ、鏡面が形成されている。また、鏡面を構成する金属（蒸着）面が酸素や水分等により劣化しやすい場合には、金属（蒸着）面に劣化防止のための保護層を形成してもよい。そのような劣化防止処理は金属の種類、所望とする耐久性に応じて適宜施される。【００３６】
散乱層１７は、反射層１６の表面に、微粒子が例えば５ｗｔ％程度混入したアクリル系拡散材が１μｍ程度の厚さで形成されている。【００３７】
散乱層１７の微粒子の形状は、球状、特に真球状であることが好ましく、そのような微粒子としてはアクリル系樹脂、ポリウレタン系樹脂、ポリスチレン系樹脂などからなる有機高分子化合物の微粒子やシリコン系樹脂からなる微粒子、シリカなどの無機化合物の微粒子が用いられる。【００３８】
散乱層１７は、微粒子の粒子密度、粒子径、又は、散乱層１７の厚さ、樹脂の屈折率等を変えることで、その散乱特性を変えることができる。【００３９】
青色透過層１８は、アクリル系拡散材上に、例えばＣｕＰｃ（銅フタロシアニン）等の青色顔料を混入したアクリル樹脂等によって形成されている。【００４０】
上述のように構成された白青表示用反射板１２の散乱光強度の角度依存性は、コレステリック液晶層１５の散乱光強度の角度依存性と同等に形成されている。具体的には、例えば、図５に示すように、白青表示用反射板１２及びコレステリック液晶層１５が、それぞれの天頂からの角度と反射率との関係がほぼ等しくなっている。【００４１】
ここで、図５に示したグラフにおいて、「天頂からの角度」は、図６（図５で示した角度及び反射率の測定光学系の模式図）のように反射面に対する天頂に設けた光源と反射面とを結ぶ線（反射面の法線）からの角度θをいう。【００４２】
図５では、青色透過層１８を構成する青色顔料の反射光強度の角度依存性が小さいのに対し、白青表示用反射板１２の反射光強度の角度依存性が大きく、白青表示用反射板１２及びコレステリック液晶層１５の正反射光に対する散乱光強度の比が同等となっている。【００４３】
（液晶表示装置１０の製造方法）
次に、本発明の実施形態１に係る液晶表示装置１０の製造方法について説明する。【００４４】
（液晶表示パネル１１形成工程）
まず、例えば基板サイズが３６５×４６０ｍｍ、厚さが０．７ｍｍのガラス基板を準備する。【００４５】
次に、ガラス基板上に、例えばＩＴＯからなる透明電極をパターニングし、配向膜を塗布する。【００４６】
次に、配向膜の表面をラビング法等で配向処理し、第１基板１３とする。ここで、配向膜とＩＴＯとの間に絶縁膜として酸化珪素からなる薄い無機膜を形成してもよい。【００４７】
次に、上記と同様にして第２基板１４を形成した後、第１基板１３と第２基板１４とを、粒径が例えば５μｍ程度のプラスチックビーズからなるスペーサを介して貼り合わせる。【００４８】
第１基板１３と第２基板１４との貼り合わせは、両基板の貼り合わせ面の周端をエポキシ系樹脂等でシールすることにより行う。【００４９】
次に、両基板間に選択波長が例えば５６０ｎｍ程度の黄色のコレステリック液晶分子を注入し、液晶表示パネル１１を作成する。【００５０】
（白青表示用反射板１２形成工程）
次に、ＰＥＴ（ポリエチレンテレフタレート）フィルムを準備し、その表面に、アルミニウムを例えば１００ｎｍ程度蒸着させて、反射層１６を形成する。【００５１】
次に、ＰＥＴフィルムのアルミニウム表面に微粒子が例えば５ｗｔ％程度混入したアクリル系拡散材を１μｍ程度の厚さで塗布し、硬化させて散乱層１７を形成する。【００５２】
次に、アクリル系拡散材上に、銅フタロシアニンが３ｗｔ％程度混入したアクリルを２μｍ程度の厚さで塗布し、硬化させて青色透過層１８を形成することにより、白青表示用反射板１２を得る。【００５３】
次に、上述のように作製した液晶表示パネル１１の第２基板１４側に、白青表示用反射板１２を、透明粘着材により貼り付ける。【００５４】
このようにして、液晶表示装置１０が完成する。【００５５】
−液晶表示装置１０の作用効果−
上述のように製造された液晶表示装置１０は、正面からの正反射光では、コレステリック液晶層１５の正反射光と裏面の青色反射光が合成されて、良好な白色を表示する。また、コレステリック液晶層１５のフォーカルコニック部は、青色拡散層の色が良く見える。このため、良好な白青色を表示する。【００５６】
また、このまま正反射光が目に入らないように装置を傾けていくと、液晶の反射色がブルーシフトし、反射率が低下する。しかし、白青表示用反射板１２の反射光強度も低下するため、表示が白色／青色から水色／紺色へと変化するものの、コントラストは維持される。【００５７】
（実施形態２）
次に、本発明の実施形態２に係る液晶表示装置２０について、図面を用いて詳細に説明する。【００５８】
（液晶表示装置２０の構成）
図２は、本発明の実施形態２に係る液晶表示装置２０の断面図を示す。尚、上述の実施形態１に係る液晶表示装置１０と同様の構成要素については、同符号を付し、その説明を省略する。【００５９】
液晶表示装置２０は、液晶表示パネル１１及び白青表示用反射板２２で構成されている。【００６０】
液晶表示パネル１１は、表示面側に設けられる第１基板１３と、第１基板１３に対向するように設けられた第２基板１４と、第１及び第２基板１４間に設けられた選択反射が黄色であるコレステリック液晶分子で構成されたコレステリック液晶層１５で形成されている。【００６１】
白青表示用反射板２２は、所定の散乱角を有する反射層２６、及び、青色透過層２８が積層されて構成されるとともに、青色透過層２８が第２基板１４に対向するように設けられている。【００６２】
反射層２６は、例えば、表面が所定の散乱角を有するようにエンボス処理され、且つ、銀やアルミニウム等の金属を蒸着させたＰＥＴフィルム等のプラスチックフィルムが用いられ、これにより拡散鏡面２１が形成されている。【００６３】
また、鏡面を構成する金属（蒸着）面が酸素や水分等により劣化しやすい場合には、金属（蒸着）面に劣化防止のための保護層を形成してもよい。そのような劣化防止処理は金属の種類、所望とする耐久性に応じて適宜施される。【００６４】
青色透過層２８は、アクリル系拡散材上に、例えばＣｕＰｃ（銅フタロシアニン）等の青色顔料を混入したアクリル樹脂等によって形成されている。【００６５】
上述のように構成された白青表示用反射板２２の散乱光強度の角度依存性は、例えば図５とともに上述したように、コレステリック液晶層１５の散乱光強度の角度依存性と同等に形成されている。【００６６】
（液晶表示装置２０の製造方法）
次に、本発明の実施形態２に係る液晶表示装置２０の製造方法について説明する。【００６７】
（液晶表示パネル１１形成工程）
まず、上述の実施形態１と同様の工程により、液晶表示パネル１１を作成する。【００６８】
（白青表示用反射板２２形成工程）
次に、ＰＥＴフィルムを準備し、その表面に、所定の散乱角を有するようにエンボス処理を施す。【００６９】
次に、エンボス処理を施したＰＥＴフィルム表面に、アルミニウムを例えば１００ｎｍ程度蒸着させて、拡散鏡面２１を有する反射層２６を形成する。【００７０】
次に、反射層２６のアルミニウム表面に、銅フタロシアニンが３ｗｔ％程度混入したアクリルを２μｍ程度の厚さで塗布し、硬化させて青色透過層２８を形成することにより、白青表示用反射板２２を得る。【００７１】
次に、上述のように作製した液晶表示パネル１１の第２基板１４側に、白青表示用反射板２２を、透明粘着材により貼り付ける。【００７２】
このようにして、液晶表示装置２０が完成する。【００７３】
−液晶表示装置２０の作用効果−
上述のように製造された液晶表示装置２０は、実施形態１の液晶表示装置１０と同様に、正面からの正反射光では、コレステリック液晶層１５の正反射光と裏面の青色反射光が合成されて、良好な白色を表示する。また、コレステリック液晶層１５のフォーカルコニック部は、青色拡散層の色が良く見える。このため、良好な白青色を表示する。また、斜めから見ても良好に表示画面を視認することができる。【００７４】
（実施形態３）
本発明の実施形態３に係る液晶表示装置３０について、図面を用いて詳細に説明する。【００７５】
（液晶表示装置３０の構成）
図３は、本発明の実施形態３に係る液晶表示装置３０の断面図を示す。【００７６】
液晶表示装置３０は、液晶表示パネル３１及び白青表示用反射板３２で構成されている。【００７７】
液晶表示パネル３１は、表示面側に設けられる第１基板３３と、第１基板３３に対向するように設けられた第２基板３４と、第１及び第２基板３３，３４間に設けられた選択反射が黄色であるコレステリック液晶分子で構成されたコレステリック液晶層３５で形成されている。【００７８】
液晶表示パネル３１の構成は、その配向膜にラビングによる配向処理が施されていない点のみが上述の実施形態１に係る液晶表示パネル１１と異なっている。すなわち、液晶表示パネル３１のコレステリック液晶は、ラビングレスで配向されている。【００７９】
白青表示用反射板３２は、反射層３６及び青色透過層３８で構成されるとともに、青色透過層３８が第２基板３４に対向するように設けられている。【００８０】
反射層３６は、例えば、ＰＥＴ（ポリエチレンテレフタレート）フィルム等のプラスチックフィルムに銀やアルミニウム等の金属を蒸着させたものや、アルミニウム箔のように金属を延ばして平滑な薄いフィルム状に加工したもの等が用いられ、鏡面が形成されている。また、鏡面を構成する金属（蒸着）面が酸素や水分等により劣化しやすい場合には、金属（蒸着）面に劣化防止のための保護層を形成してもよい。そのような劣化防止処理は金属の種類、所望とする耐久性に応じて適宜施される。【００８１】
青色透過層３８は、アクリル系拡散材上に、例えばＣｕＰｃ（銅フタロシアニン）等の青色顔料を混入したアクリル樹脂等によって形成されている。【００８２】
上述のように構成された白青表示用反射板３２の散乱光強度の角度依存性は、例えば図５とともに上述したように、コレステリック液晶層３５の散乱光強度の角度依存性と同等に形成されている。【００８３】
（液晶表示装置３０の製造方法）
次に、本発明の実施形態３に係る液晶表示装置３０の製造方法について説明する。【００８４】
（液晶表示パネル３１形成工程）
まず、上述の実施形態１と同様の工程により、液晶表示パネル３１を作成する。ただし、本実施形態３では、配向膜のラビング処理は施していない。【００８５】
（白青表示用反射板３２形成工程）
次に、ＰＥＴ（ポリエチレンテレフタレート）フィルムを準備し、その表面に、アルミニウムを例えば１００ｎｍ程度蒸着させて、反射層３６を形成する。【００８６】
次に、反射層３６のアルミニウム表面に、銅フタロシアニンが３ｗｔ％程度混入したアクリルを２μｍ程度の厚さで塗布し、硬化させて青色透過層３８を形成することにより、白青表示用反射板３２を得る。【００８７】
次に、上述のように作製した液晶表示パネル３１の第２基板３４側に、白青表示用反射板３２を、透明粘着材により貼り付ける。【００８８】
このようにして、液晶表示装置３０が完成する。【００８９】
−液晶表示装置３０の作用効果−
上述のように製造された液晶表示装置３０は、実施形態１の液晶表示装置１０と同様に、正面からの正反射光では、コレステリック液晶層３５の正反射光と裏面の青色反射光が合成されて、良好な白色を表示する。また、コレステリック液晶層３５のフォーカルコニック部は、青色拡散層の色が良く見える。このため、良好な白青色を表示する。また、斜めから見ても良好に表示画面を視認することができる。【００９０】
（実施形態４）
本発明の実施形態４に係る液晶表示装置４０について、図面を用いて詳細に説明する。【００９１】
（液晶表示装置４０の構成）
図４は、本発明の実施形態４に係る液晶表示装置４０の断面図を示す。【００９２】
液晶表示装置４０は、液晶表示パネル４１及び白青表示用反射板４２で構成されている。【００９３】
液晶表示パネル４１は、表示面側に設けられる第１基板４３と、第１基板４３に対向するように設けられた第２基板４４と、第１及び第２基板４３，４４間に設けられた選択反射が黄色であるコレステリック液晶分子で構成されたコレステリック液晶層４５で形成されている。【００９４】
液晶表示パネル４１の構成は、その配向膜にラビングによる配向処理が施されていない点のみが上述の実施形態１に係る液晶表示パネル４１と異なっている。すなわち、液晶表示パネル４１のコレステリック液晶は、ラビングレスで配向されている。【００９５】
白青表示用反射板４２は、青色ホログラムで構成されるとともに、第２基板４４に対向するように設けられている。【００９６】
青色ホログラム（白青表示用反射板４２）は、例えば、ＰＥＴフィルム等のプラスチックフィルムに所定の凹凸パターンが形成された光硬化性樹脂層と、光硬化性樹脂層上に蒸着された銀やアルミニウム等の金属膜と、金属膜上に形成された、例えばＣｕＰｃ（銅フタロシアニン）等の青色顔料を混入したアクリル樹脂等によって構成されている。【００９７】
上述のように構成された白青表示用反射板４２の散乱光強度の角度依存性は、例えば図５とともに上述したように、コレステリック液晶層４５の散乱光強度の角度依存性と同等に形成されている。【００９８】
（液晶表示装置４０の製造方法）
次に、本発明の実施形態４に係る液晶表示装置４０の製造方法について説明する。【００９９】
（液晶表示パネル４１形成工程）
まず、上述の実施形態１と同様の工程により、液晶表示パネル４１を作成する。ただし、本実施形態４では、配向膜のラビング処理は施していない。【０１００】
（白青表示用反射板４２形成工程）
ＰＥＴフィルム上に光硬化性樹脂を含む樹脂組成物を塗布及び乾燥して光硬化性樹脂層を形成し、この樹脂層に、例えば微細凹凸パターンが形成されたプレススタンパーを重ねて加圧し、スタンパーの凹凸パターンを樹脂層に転写する。【０１０１】
次に、この凹凸を形成した樹脂層に、紫外線等の活性エネルギー線を照射し、微細凹凸パターンを固定し、さらに微細凹凸パターン面にアルミニウムを例えば１００ｎｍ程度蒸着させる。【０１０２】
次に、アルミニウム表面に、銅フタロシアニンが３ｗｔ％程度混入したアクリルを２μｍ程度の厚さで塗布し、硬化させて、青色ホログラム（白青表示用反射板４２）を作製する。【０１０３】
次に、上述のように作製した液晶表示パネル４１の第２基板４４側に、白青表示用反射板４２を、透明粘着材により貼り付ける。【０１０４】
このようにして、液晶表示装置４０が完成する。【０１０５】
−液晶表示装置４０の作用効果−
上述のように製造された液晶表示装置４０は、実施形態１の液晶表示装置１０と同様に、正面からの正反射光では、コレステリック液晶層４５の正反射光と裏面の青色反射光が合成されて、良好な白色を表示する。また、コレステリック液晶層４５のフォーカルコニック部は、青色拡散層の色が良く見える。このため、良好な白青色を表示する。また、斜めから見ても良好に表示画面を視認することができる。
【産業上の利用可能性】
【０１０６】
以上説明したように、本発明は、液晶表示装置に関する。
【図１】
2009004746.tif 000003
【図２】
2009004746.tif 000004
【図３】
2009004746.tif 000005
【図４】
2009004746.tif 000006
【図５】
2009004746.tif 000007
【図６】
2009004746.tif 000008
【国際調査報告】
2009004746.tif 000009
2009004746.tif 000010
2009004746.tif 000011
2009004746.tif 000012